(57)【要約】【課題】コンパクトな構成でコンバータレンズ周囲の遮光効果に優れるレンズ鏡筒のコンバータレンズ駆動機構を提供する。【解決手段】支持部材に対して光軸と平行な第１の軸を中心として回転可能に支持され、コンバータレンズを光軸上に挿脱させる挿脱枠と、挿脱枠の像面側に位置し、支持部材に対して光軸と平行な一対の第２の軸を中心として回転可能に支持され、互いに接近して光軸を囲む位置にコンバータレンズの径に対応した円形開口を形成する遮光位置と、互いに光軸から離れて円形開口を形成しなくなる開き位置との間で往復回転する一対の遮光羽根と、支持部材に対して光軸を中心に回転可能に支持され、挿脱枠が挿入位置にあるとき一対の遮光羽根を遮光位置に位置させ、挿脱枠が退避位置にあるとき一対の遮光羽根を開き位置に位置させる駆動環を備える。【選択図】図１１
2014149417.tif 000002
【特許請求の範囲】
【請求項１】
レンズ鏡筒内で撮像光学系の光軸上に挿脱可能で、挿入によって焦点距離を変更させるコンバータレンズの駆動機構において、
支持部材；
上記コンバータレンズを保持し、上記支持部材に対して上記光軸と平行な第１の軸を中心として回転可能に支持され、上記コンバータレンズを上記光軸上に挿入させる挿入位置と、上記コンバータレンズを上記光軸から退避させる退避位置の間で往復回転する挿脱枠；
上記挿脱枠の像面側に位置し、上記支持部材に対して上記光軸と平行な一対の第２の軸を中心として回転可能に支持され、互いに接近して上記光軸を囲む位置に上記コンバータレンズの径に対応した円形開口を形成する遮光位置と、互いに上記光軸から離れて上記円形開口を形成しなくなる開き位置との間で往復回転する一対の遮光羽根；及び
上記支持部材に対して上記光軸を中心に回転可能に支持され、上記挿脱枠に連動して回転されると共に上記一対の遮光羽根に回転力を伝達し、上記挿脱枠が上記挿入位置にあるとき上記一対の遮光羽根を上記遮光位置に位置させ、上記挿脱枠が上記退避位置にあるとき上記一対の遮光羽根を上記開き位置に位置させる駆動環；
を有することを特徴とするレンズ鏡筒のコンバータレンズ駆動機構。
【請求項２】
請求項１記載のレンズ鏡筒のコンバータレンズ駆動機構において、
上記第２の軸と位置を異ならせて上記一対の遮光羽根のそれぞれに形成した長穴；及び
上記駆動環に設けた、上記一対の遮光羽根の上記長穴に挿入される一対の制御突起；
を備え、
上記駆動環が回転すると、上記長穴内での上記制御突起の位置を変化させながら上記第２の軸を中心とする上記遮光羽根の角度位置が変化するレンズ鏡筒のコンバータレンズ駆動機構。
【請求項３】
請求項１または２記載のレンズ鏡筒のコンバータレンズ駆動機構において、
上記第１の軸と位置を異ならせて上記挿脱枠に設けた回転伝達突起；及び
上記駆動環に形成され上記回転伝達突起を挿入させる回転伝達穴；
を備え、
上記挿脱枠が回転すると、上記回転伝達突起と上記回転伝達穴を介して上記駆動環に回転力が伝わるレンズ鏡筒のコンバータレンズ駆動機構。
【請求項４】
請求項１ないし３のいずれか１項記載のレンズ鏡筒のコンバータレンズ駆動機構において、上記一対の遮光羽根は、上記光軸に関して対称な形状をなすレンズ鏡筒のコンバータレンズ駆動機構。
【請求項５】
請求項１ないし４のいずれか１項記載のレンズ鏡筒のコンバータレンズ駆動機構において、上記支持部材は、被写体側を向く光軸方向の前面部に上記第２の軸を備えると共に上記駆動環を回転可能に支持する環状体であり、
上記支持部材の被写体側に取り付けられて上記駆動環と上記遮光羽根の脱落を防ぐ押さえ環を備えるレンズ鏡筒のコンバータレンズ駆動機構。
【請求項６】
請求項５記載のレンズ鏡筒のコンバータレンズ駆動機構において、上記挿脱枠の上記挿入位置を決めるストッパが上記押さえ環に形成されているレンズ鏡筒のコンバータレンズ駆動機構。
【請求項７】
請求項１ないし６のいずれか１項記載のレンズ鏡筒のコンバータレンズ駆動機構において、
上記挿脱枠を上記挿入位置に向けて付勢する付勢部材；
上記レンズ鏡筒内で上記支持部材に対して相対移動可能に設けた相対移動部材；及び
上記相対移動部材に形成され、上記支持部材に対する上記相対移動部材の相対移動によって上記挿脱枠に対して当接及び当接解除し、当接したときに上記挿脱枠を上記付勢部材の付勢力に抗して上記退避位置に回転させる駆動制御部；
を有するレンズ鏡筒のコンバータレンズ駆動機構。
【請求項８】
請求項７記載のレンズ鏡筒のコンバータレンズ駆動機構において、上記支持部材は上記撮像光学系を構成する複数のレンズ群のうち一つと共に光軸方向の位置が制御され、
上記相対移動部材は上記支持部材を光軸方向に移動可能に案内する直進案内環であり、上記駆動制御部は上記直進案内環の周面に形成された溝部からなり、
上記挿脱枠は上記溝部に進入する突起を有しているレンズ鏡筒のコンバータレンズ駆動機構。
【発明の詳細な説明】
【技術分野】
【０００１】
本発明は、レンズ鏡筒内の光路上にコンバータレンズ（コンバージョンレンズ）を挿脱させるコンバータレンズの駆動機構に関する。
【背景技術】
【０００２】
特許文献１や特許文献２のように、コンバータレンズを内蔵し、撮像光学系の光路上にコンバータレンズを挿脱することにより焦点距離を切り替えるレンズ鏡筒が知られている。この種のレンズ鏡筒では、撮像光学系を構成するレンズ群（特に、コンバータレンズを前方に挿脱させるマスターレンズ）の径よりもコンバータレンズの径が小さい場合に、挿入させたコンバータレンズの周囲からの漏光が撮影に悪影響を及ぼすおそれがある。
【０００３】
特許文献３のカメラ装置では、コンバータレンズとその外側を囲む遮光部材を組み合わせてレンズキャップを構成し、レンズキャップを撮影レンズの前方から挿脱させることで焦点距離を変更させている。この構造によると、コンバータレンズの挿入時に、コンバータレンズの外側を通る有害光を遮光部材によって遮断することが可能である。しかし、コンバータレンズの周囲を遮光部材で囲むことでレンズキャップ全体としての径が大きくなっており、レンズキャップを撮影レンズの前方から退避させる際にカメラの筐体内に大きなスペースが必要になる。そのため、レンズ鏡筒の小型化、特に小径化を目指す場合には、特許文献３のレンズキャップ構造をコンバータレンズに適用することが難しい。
【０００４】
特許文献４には、光路上に挿脱可能な退避レンズを備え、非使用時に該レンズを離脱させることで全長を短縮化させるレンズ鏡筒において、退避レンズの挿入時に連動して挿入される遮光羽根を備えた構成が記載されている。挿入状態の遮光羽根は、退避レンズを保持する退避レンズ枠と重ならない領域を遮蔽するが、退避レンズの外側の円環状領域の全体を遮蔽可能な形状ではなく、遮蔽効果は部分的なものに留まる。特許文献４の退避レンズはレンズ鏡筒の使用状態で常時挿入されているため、このような部分的な遮光を行う遮光羽根とは別に遮光部材を設けて、遮光羽根との組み合わせで退避レンズの周囲全体を遮光することが可能である。しかし、レンズ鏡筒の使用状態で任意に挿脱されるコンバータレンズの場合、特許文献４に記載の構造で周囲の有害光を確実に遮断することは困難である。
【先行技術文献】
【特許文献】
【０００５】
【特許文献１】特開平１−１２６６１３号公報
【特許文献２】特開昭６１−３４５６２号公報
【特許文献３】特開２００１−２３５７８８号公報
【特許文献４】特開２０１２−１８３２５号公報
【発明の概要】
【発明が解決しようとする課題】
【０００６】
本発明は以上の問題点に鑑みてなされたものであり、コンパクトな構成でコンバータレンズ周囲の遮光効果に優れるレンズ鏡筒のコンバータレンズ駆動機構を提供することを目的とする。
【課題を解決するための手段】
【０００７】
本発明は、レンズ鏡筒内で撮像光学系の光軸上に挿脱可能で、挿入によって焦点距離を変更させるコンバータレンズの駆動機構において、支持部材；コンバータレンズを保持し、支持部材に対して光軸と平行な第１の軸を中心として回転可能に支持され、コンバータレンズを光軸上に挿入させる挿入位置と、コンバータレンズを光軸から退避させる退避位置の間で往復回転する挿脱枠；挿脱枠の像面側に位置し、支持部材に対して光軸と平行な一対の第２の軸を中心として回転可能に支持され、互いに接近して光軸を囲む位置にコンバータレンズの径に対応した円形開口を形成する遮光位置と、互いに光軸から離れて円形開口を形成しなくなる開き位置との間で往復回転する一対の遮光羽根；及び、支持部材に対して光軸を中心に回転可能に支持され、挿脱枠に連動して回転されると共に一対の遮光羽根に回転力を伝達し、挿脱枠が挿入位置にあるとき一対の遮光羽根を遮光位置に位置させ、挿脱枠が退避位置にあるとき一対の遮光羽根を開き位置に位置させる駆動環；を有することを特徴としている。
【０００８】
一対の遮光羽根のそれぞれに第２の軸と位置を異ならせて長穴を形成し、駆動環には各遮光羽根の長穴に挿入される一対の制御突起を設け、駆動環が回転すると、長穴内での制御突起の位置を変化させながら第２の軸を中心とする遮光羽根の角度位置が変化するように構成するとよい。
【０００９】
また、挿脱枠に第１の軸と位置を異ならせて回転伝達突起を設け、駆動環には回転伝達突起を挿入させる回転伝達穴を形成し、挿脱枠が回転すると、回転伝達突起と回転伝達穴を介して駆動環に回転力が伝わるように構成するとよい。
【００１０】
一対の遮光羽根は、光軸に関して対称な形状をなすことが好ましい。
【００１１】
支持部材を、被写体側を向く光軸方向の前面部に第２の軸を備えると共に駆動環を回転可能に支持する環状体として構成し、この支持部材の被写体側に取り付けられる押さえ環によって駆動環と遮光羽根の脱落を防ぐ構造にするとよい。この場合、挿脱枠の挿入位置を決めるストッパを押さえ環に形成することが好ましい。
【００１２】
挿脱枠は付勢部材によって挿入位置に向けて付勢され、レンズ鏡筒内で支持部材に対して相対移動可能に設けた相対移動部材によって退避位置へ回転される。具体的には、相対移動部材に設けた駆動制御部が、支持部材に対する相対移動部材の相対移動によって挿脱枠に対して当接及び当接解除し、駆動制御部が当接したときに挿脱枠を付勢部材の付勢力に抗して退避位置に回転させる。
【００１３】
レンズ鏡筒内で、支持部材は撮像光学系を構成する複数のレンズ群のうち一つと共に光軸方向の位置が制御されることが好ましい。挿脱枠に退避位置への移動力を与える相対移動部材は、支持部材を光軸方向に移動可能に案内する直進案内環によって構成することができる。この場合、駆動制御部を案内環の周面に形成された溝部として形成し、この溝部に進入する突起を挿脱枠に設け、溝部と突起の関係によって挿脱枠の回転方向の位置制御を行うとよい。
【発明の効果】
【００１４】
本発明によるレンズ鏡筒のコンバータレンズ駆動機構では、コンバータレンズを保持する挿脱枠の光軸上への挿脱動作によって、駆動環を介して一対の遮光羽根が動作する。一対の遮光羽根は、挿脱枠が挿入位置にあるときに、光軸を囲む位置にコンバータレンズの径に対応した円形開口を形成して、コンバータレンズの外側を通る有害な光を遮断する。挿脱枠が退避位置に移動すると、一対の遮光羽根が開かれて撮像光学系の光路外のスペースに収まる。この構成によると、コンパクトな構成でコンバータレンズ周囲の遮光効果を高めることができる。
【図面の簡単な説明】
【００１５】
【図１】本発明を適用したコンバータ駆動機構を内蔵したズームレンズ鏡筒の収納（沈胴）状態の側断面図である。
【図２】同ズームレンズ鏡筒を繰り出してズーム域のワイド端とテレ端にある状態を示す側断面図である。
【図３】同ズームレンズ鏡筒でワイドコンバータレンズが撮影光軸上に挿入された状態を示す側断面図である。
【図４】同ズームレンズ鏡筒の収納（沈胴）状態を図１と異なる断面位置で示した側断面図である。
【図５】同ズームレンズ鏡筒のワイド端の状態を図２と異なる断面位置で示した側断面図である
【図６】同ズームレンズ鏡筒のテレ端の状態を図２と異なる断面位置で示した側断面図である
【図７】同ズームレンズ鏡筒のワイドコンバータレンズ挿入状態を図３と異なる断面位置で示した側断面図である
【図８】ズームレンズ鏡筒を構成する直進案内環とシャッタユニットとコンバータレンズユニットの前方斜視図である。
【図９】コンバータレンズユニットの分解斜視図である。
【図１０】ワイドコンバータレンズを撮影光軸上から退避させた状態のズームレンズ鏡筒の要部の正面図である。
【図１１】ワイドコンバータレンズを撮影光軸上に挿入した状態のズームレンズ鏡筒の要部の正面図である。
【発明を実施するための形態】
【００１６】
図１から図７に側断面を示す沈胴式のズームレンズ鏡筒１０は、被写体側から順に第１レンズ群ＬＧ１、シャッタＳ、第２レンズ群ＬＧ２、第３レンズ群ＬＧ３、光学フィルタ１１及び撮像素子１２が配された撮像光学系を有する。この撮像光学系は焦点距離可変のズームレンズ系であり、第１レンズ群ＬＧ１と第２レンズ群ＬＧ２を撮像光学系の撮影光軸Ｏに沿って所定の軌跡で進退させることによってズーミングを行う。図２の上半断面と図５がズーム域のワイド端、図２の下半断面と図６がズーム域のテレ端の状態を示している。図３及び図７に示すように、ズームレンズ鏡筒１０の所定の繰出位置では、第１レンズ群ＬＧ１と第２レンズ群ＬＧ２の間（シャッタＳの前方）にワイドコンバータレンズＷＣを挿入して、ズームレンズ系のワイド端よりも短い焦点距離での撮影が可能となる。また、図２、図３、図５ないし図７に示すズームレンズ鏡筒１０の撮影状態では、撮影光軸Ｏに沿って第３レンズ群ＬＧ３を移動させることでフォーカシングを行う。図１及び図４はズームレンズ鏡筒１０の収納（沈胴）状態を示し、この状態では撮影は行われない。以下の説明中で光軸方向とは、撮像光学系の撮影光軸Ｏと平行な方向を意味し、前方とは光軸方向の前方（被写体側）、後方とは光軸方向の後方（像面側）を意味する。
【００１７】
ズームレンズ鏡筒１０は、固定部材として筒状のハウジング１３を備える。ハウジング１３の後部に撮像素子ホルダ１４が固定され、撮像素子ホルダ１４の前面に光学フィルタ１１と撮像素子１２が支持される。
【００１８】
第３レンズ群ＬＧ３は３群枠１５に保持されている。３群枠１５は、ハウジング１３内に固定された光軸方向に延びるガイド軸（図示略）によって光軸方向へ直進移動可能に支持されており、図示を省略するＡＦモータによって光軸方向に進退駆動される。
【００１９】
ハウジング１３の内側には、３群レンズ枠１５の支持駆動手段とは別に、ズームモータ（図示略）により駆動制御される変倍群ブロックが支持されている。変倍群ブロックは、外側繰出筒１６、２群レンズブロック１７、内側繰出筒１８及び直進案内環（相対移動部材）１９を含んでいる。
【００２０】
外側繰出筒１６と内側繰出筒１８はズームレンズ鏡筒１０の外観筒を構成している。外側繰出筒１６は、ハウジング１３の内周面に形成したガイド溝１３ａに対して摺動可能に嵌るガイド突起１６ａを有する。外側繰出筒１６は、ズームモータにより回転駆動されるズームギヤ（図示略）の駆動力を周面ギヤ１６ｂで受けて回転する。ズームモータを駆動させて外側繰出筒１６を回転させると、ガイド溝１３ａにガイド突起１６ａが案内されて、外側繰出筒１６が回転しながら光軸方向に移動する。具体的には、図１及び図４の収納状態から図２、図３、図５ないし図７に示す撮影状態になるときに、外側繰出筒１６が回転しながら光軸方向前方に移動する。
【００２１】
直進案内環１９は、ハウジング１３の内面に形成した直進案内溝（図示略）を介して光軸方向に直進移動可能に案内されている。直進案内環１９はまた、外側繰出筒１６の内周面に撮影光軸Ｏを中心として形成した周方向溝１６ｃに対して回転案内突起１９ａを摺動自在に係合させることで、外側繰出筒１６の回転を許しつつ、光軸方向には第２筒１６と共に移動する。
【００２２】
２群レンズブロック１７は、第２レンズ群ＬＧ２を支持する２群支持環２０の前部に、シャッタユニット２１とコンバータレンズユニット２２を取り付けた構成であり、２群支持環２０から外径方向に突出する直進案内キー２０ａを、直進案内環１９に形成した光軸方向への長穴である直進案内スロット１９ｂ（図８、図１０及び図１１）に対して摺動可能に係合させることにより光軸方向へ直進案内されている。シャッタユニット２１は、開閉可能なシャッタＳを内蔵する環体部２１ａと、環体部２１ａの後部に固定されてシャッタＳの開閉駆動を行わせるシャッタアクチュエータ２１ｂを有する。コンバータレンズユニット２２はシャッタユニット２１の環体部２１ａの前部に支持されており、その詳細については後述する。
【００２３】
外側繰出筒１６の内周面に形成した２群制御カム溝ＣＧ２に対し、２群支持環２０に設けた２群用カムフォロアＣＦ２が摺動可能に係合している。２群用カムフォロアＣＦ２は、直進案内キー２０ａの外径部に設けられ、直進案内環１９を径方向に貫通する直進案内スロット１９ｂを通して２群用カムフォロアＣＦ２との係合位置まで突出されている。２群支持環２０を含む２群レンズブロック１７は直進案内環１９を介して光軸方向に直進案内されているため、外側繰出筒１６が回転すると、２群制御カム溝ＣＧ２の形状に従って、２群レンズブロック１７が光軸方向へ所定の軌跡で移動する。
【００２４】
内側繰出筒１８の内部には撮影光軸Ｏを囲む筒状のレンズ保持筒１８ａが設けられ、レンズ保持筒１８ａ内に第１レンズ群ＬＧ１が保持されている。内側繰出筒１８は、直進案内環１９の直進案内スロット１９ｂを介して光軸方向へ直進案内されている。外側繰出筒１６の内周面に形成した１群制御カム溝ＣＧ１に対し、内側繰出筒１８の後端部付近に設けた１群用カムフォロアＣＦ１が摺動可能に係合している。内側繰出筒１８は直進案内環１９を介して光軸方向に直進案内されているため、外側繰出筒１６が回転すると、１群制御カム溝ＣＧ１の形状に従って内側繰出筒１８が光軸方向へ所定の軌跡で移動する。
【００２５】
続いてコンバータレンズユニット２２について説明する。図８及び図９に示すように、コンバータレンズユニット２２は、支持環（支持部材）３０、挿脱枠３１、駆動環３２、押さえ環３３、一対の遮光羽根３４、軸押さえ３５、挿入バネ（付勢部材）３７を有する。
【００２６】
支持環３０は、シャッタユニット２１の環体部２１ａの前面側に固定的に支持される円環状の部材である。支持環３０の中央には光軸方向に貫通する中央開口３０ａが形成され、支持環３０の前面には、中央開口３０ａと同心状で前方に突出する大小２つの径の環状フランジ３０ｂ、３０ｃと、環状フランジ３０ｂと環状フランジ３０ｃの間の径方向位置に設けた一対の支持軸（第２の軸）３０ｄが形成されている。一対の支持軸３０ｄは、撮影光軸Ｏを挟んだ対称位置に配置されている。環状フランジ３０ｃは環状フランジ３０ｂよりも大径で支持環３０の外縁部に位置しており、この外側の環状フランジ３０ｃよりも外径方向へ突出した位置に軸挿入穴３０ｅが形成されている。
【００２７】
支持環３０の前部に駆動環３２が支持されている。駆動環３２は、支持環３０の環状フランジ３０ｂと環状フランジ３０ｃの間に嵌る円環状をなし、支持環３０に対して撮影光軸Ｏを中心として回転可能に支持される。環状フランジ３０ｂに臨む駆動環３２の内周側に、支持環３０の一対の支持軸３０ｄとの干渉を防ぐための一対の切欠き３２ａが形成されている。駆動環３２は、各支持軸３０ｄが対応の切欠き３２ａの内面に当接するまでの範囲で回転が許される。駆動環３２にはさらに、一対の切欠き３２ａの近傍から光軸方向前方に突出する一対の制御突起３２ｂと、光軸方向に貫通する回転伝達穴３２ｃが形成されている。一対の切欠き３２ａと一対の制御突起３２ｂはそれぞれ、撮影光軸Ｏを挟んだ対称位置に設けられている。
【００２８】
駆動環３２の前側に一対の遮光羽根３４が支持される。一対の遮光羽根３４は共通の形状であり、各遮光羽根３４は、支持環３０の支持軸３０ｄを挿通させる軸穴３４ａと、駆動環３２の制御突起３２ｂを挿通させる長穴３４ｂを有する。駆動環３２が回転すると一対の制御突起３２ｂが対応する長穴３４ｂの内面を押圧して一対の遮光羽根３４に力が伝わり、図１０と図１１に示すように、長穴３４ｂに沿って制御突起３２ｂの位置を変化させながら、各遮光羽根３４が支持軸３０ｄを中心として回転する（角度位置が変化する）。各遮光羽根３４の先端近くには半円状の開口形成凹部３４ｃが形成されており、一対の遮光羽根３４が最も接近した図１１の遮光位置では、対向する一対の開口形成凹部３４ｃによって撮影光軸Ｏを中心とする円形開口が形成される。この円形開口は支持環３０の中央開口３０ａよりも小径であり、ワイドコンバータレンズＷＣと略同径である。一対の遮光羽根３４が最も離間した図１０の開き位置では、各遮光羽根３４は支持環３０の中央開口３０ａの外側に退避しており、開口形成凹部３４ｃによる円形開口が形成されない。各遮光羽根３４は、遮光位置と開き位置の間を回転するときに、支持環３０の環状フランジ３０ｂと環状フランジ３０ｃの前面に沿って動作することで、傾きや引っ掛かりが防止される。
【００２９】
支持環３０の前部に押さえ環３３が取り付けられる。図１ないし図４に示すように、押さえ環３３は環状フランジ３０ｃの前端面に当て付く形態で支持環３０に対して固定され、駆動環３２と一対の遮光羽根３４を前方から覆って脱落を防ぐ。押さえ環３３は支持環３０の環状フランジ３０ｃとほぼ同径の円環状をなし、支持環３０の中央開口３０ａよりも大径の中央開口３３ａが中央に貫通形成されている。押さえ環３３にはまた、駆動環３２の一対の制御突起３２ｂを挿入させる一対の逃げ穴３３ｂと、一対の逃げ穴３３ｂの一方の外径側に位置するストッパ突起３３ｃと、支持環３０の軸挿入穴３０ｅに対応する位置の切欠き３３ｄと、切欠き３３ｄの近傍に位置して光軸方向に貫通するバネ掛け穴３３ｅと、バネ掛け穴３３ｄの近傍に位置するネジ座３３ｆが形成されている。一対の逃げ穴３３ｂは撮影光軸Ｏを中心とする周方向に長い穴であり、駆動環３２が回転するときに各逃げ穴３３ｂ内を制御突起３２ｂが移動する。ネジ座３３ｆは内部にネジ穴が形成された光軸方向前方への突出部であり、ネジ座３３ｆ内のネジ穴に螺合する固定ネジ３６（図９）によって、軸押さえ３５がネジ座３３ｆの前面に当接固定される。
【００３０】
挿脱枠３１は、筒状のレンズ保持部３１ａ内にワイドコンバータレンズＷＣを保持し、レンズ保持部３１ａから異なる方向へ一対のアーム３１ｂ、３１ｃを延出させており、アーム３１ｂの先端付近に軸支部３１ｄが形成される。アーム３１ｂから光軸方向後方へ向けて回転伝達突起３１ｅが突設され、軸支部３１ｄの外周面上には被押圧突起３１ｆが突設されている。軸支部３１ｄは回転軸（第１の軸）３１ｘを挿通させる軸穴を有し、回転軸３１ｘにより軸支されている。図４ないし図７に示すように、回転軸３１ｘは、一端部が支持環３０の軸挿入穴３０ｅに挿入され、他端部が軸押さえ３５の軸挿入穴３５ａに挿入されて、撮影光軸Ｏと平行に支持されている。挿脱枠３１は、回転軸３１ｘを中心として、撮影光軸Ｏ上にワイドコンバータレンズＷＣを挿入させる挿入位置（図３、図７、図８及び図１１）と、撮影光軸ＯからワイドコンバータレンズＷＣを離脱させた退避位置（図１、図２及び図１０）の間で回転可能である。挿脱枠３１の挿入位置はアーム３１ｃの先端付近が押さえ環３３のストッパ突起３３ｃに当接することによって決まる。図８に示すように、直進案内環１９の前端部には径方向に貫通する切欠部１９ｃが形成されている。直進案内環１９内において挿脱枠３１が退避位置まで回転すると、レンズ保持部３１ａの一部が切欠部１９ｃに進入する。
【００３１】
挿脱枠３１の軸支部３１ｄは、トーションバネからなる挿入バネ３７のコイル部に挿通されている。挿入バネ３７のコイル部から一対のバネ腕部３７ａ、３７ｂが延出され、一方のバネ腕部３７ａが押さえ環３３のバネ掛け穴３３ｅに係合し、他方のバネ腕部３７ｂが挿脱枠３１のアーム３１ｂ上に形成した回転伝達突起３１ｅに当接し、挿脱枠３１を挿入位置へ向けて付勢している。
【００３２】
挿脱枠３１の回転伝達突起３１ｅは駆動環３２の回転伝達穴３２ｃに挿入されている。回転伝達穴３２ｃは、撮影光軸Ｏを中心とする径方向への長穴であり、挿脱枠３１が挿入位置と退避位置の間で回転すると、回転伝達突起３１ｅが回転伝達穴３２ｃの内面を押圧して駆動環３２に回転力が伝達される。駆動環３２が回転すると制御突起３２ｂと長穴３４ｂの係合関係によって一対の遮光羽根３４に力が伝えられ、駆動環３２を介して一対の遮光羽根３４が挿脱枠３１と連動される。図１０に示すように、挿脱枠３１が退避位置にあるとき、駆動環３２は一対の遮光羽根３４を開き位置に保持させる。図１１に示すように、挿脱枠３１が挿入位置にあるとき、駆動環３２は一対の遮光羽根３４を遮光位置に保持させる。
【００３３】
挿脱枠３１の挿入位置と退避位置の間の回転動作は、直進案内環１９と挿脱枠３１との関係によって行われる。図８に示すように、直進案内環１９の前端部付近に制御溝（駆動制御部）３８が形成されている。制御溝３８は直進案内環１９の周面の一部を切り欠いたスリット状部として形成されており、撮影光軸Ｏと平行な直線状溝部３８ａと、該直線状溝部３８ａから周方向へ山型に切れ込んで形成した逃げ溝部３８ｂを含んでいる。直進案内環１９と２群支持環２０の光軸方向での相対位置の変化に応じて、制御溝３８内での挿脱枠３１の被押圧突起３１ｆの位置が変化する。被押圧突起３１ｆが制御溝３８の直線状溝部３８ａ内に位置するとき、図１０に示すように被押圧突起３１ｆが直線状溝部３８ａの側面に当接して押圧され、保持バネ３７の付勢力に抗して挿脱枠３１が退避位置に保持される。この状態では保持バネ３７の撓み量が大きくなって、挿脱枠３１を挿入位置へ回転付勢する付勢力がチャージされる。被押圧突起３１ｆの光軸方向位置が制御溝３８の逃げ溝部３８ｂに対応するとき、図１１に示すように、被押圧突起３１ｆが逃げ溝部３８ｂ内に進入して被押圧突起３１ｆに対する押圧が解除され、保持バネ３７の付勢力によって挿脱枠３１が挿入位置に回転される。
【００３４】
完成状態のコンバータレンズユニット２２では、光軸方向前方から、挿脱枠３１、押さえ環３３、一対の遮光羽根３４、駆動環３２、支持環３０の順で構成要素が配置されている。挿脱枠３１が退避位置と挿入位置の間で往復回転すると、駆動環３２を介して挿脱枠３１と連動される一対の遮光羽根３４が、挿脱枠３１の光軸方向後方（像面側）位置にて開き位置と遮光位置の間で往復回転される。
【００３５】
以上の構造からなるズームレンズ鏡筒１０は次のように動作する。図１と図４に示す鏡筒収納状態において、ズームレンズ鏡筒１０の繰出信号（ズームレンズ鏡筒１０が搭載されるカメラのメインスイッチのオンなど）が入力されると、ズームモータが鏡筒繰出方向に駆動されてズームギヤが回転し、外側繰出筒１６がハウジング１３のガイド溝１３ａにガイドされて前方へ回転繰出される。直進案内環１９は外側繰出筒１６と共に前方に直進移動する。外側繰出筒１６が回転すると、その内側では、２群制御カム溝ＣＧ２と２群用カムフォロアＣＦ２の関係によって、直進案内環１９により直進案内された２群支持環２０（２群レンズブロック１７）が光軸方向に所定の軌跡で移動される。また、外側繰出筒１６が回転すると、直進案内環１９を介して直進案内された内側繰出筒１８が、１群制御カム溝ＣＧ１と１群用カムフォロアＣＦ１の関係によって光軸方向に所定の軌跡で移動される。
【００３６】
鏡筒収納状態からの第１レンズ群ＬＧ１と第２レンズ群ＬＧ２の繰出量はそれぞれ、ハウジング１３に対する外側繰出筒１６の前方移動量と、該外側繰出筒１６に対する内側繰出筒１８、２群支持環２０のカム繰出量との合算値として決まる。図２に示すように、ズームレンズ鏡筒１０の撮影状態では、第１レンズ群ＬＧ１と第２レンズ群ＬＧ２が互いの空気間隔を変化させながら撮影光軸Ｏ上を移動することにより、ワイド端からテレ端の間で焦点距離が変化する。
【００３７】
ズームレンズ鏡筒１０の収納信号（カメラのメインスイッチのオフなど）が入力されると、ズームモータが鏡筒収納方向に駆動され、ズームレンズ鏡筒１０は上記の繰出動作とは逆の収納動作を行い、図１の収納状態になる。
【００３８】
また、ズームレンズ鏡筒１０が撮影状態にあるとき、測距手段によって得られた被写体距離情報に応じてＡＦモータを駆動することにより、第３レンズ群ＬＧ３を支持する３群枠１５が撮影光軸Ｏに沿って移動してフォーカシングが実行される。
【００３９】
ズームレンズ鏡筒１０の収納状態では、挿脱枠３１の被押圧突起３１ｆが制御溝３８に対して図８の「Ａ」位置にあり、被押圧突起３１ｆが制御溝３８の直線状溝部３８ａの側面に当接して押圧されて、挿脱枠３１が退避位置に保持される。ズームレンズ鏡筒１０は、収納状態での薄型化を図るべく、第１レンズ群ＬＧ１と第２レンズ群ＬＧ２の光軸方向の間隔を小さくさせており、第１レンズ群ＬＧ１と第２レンズ群ＬＧ２の間にはワイドコンバータレンズＷＣを収納するスペースを得られない。よって、図１に示すようにワイドコンバータレンズＷＣが第１レンズ群ＬＧ１の外側スペースに収納される退避位置に挿脱枠３１を保持することで、ワイドコンバータレンズＷＣと干渉することなく第１レンズ群ＬＧ１と第２レンズ群ＬＧ２を接近させて、ズームレンズ鏡筒１０の収納長を短くすることができる。このとき、ワイドコンバータレンズＷＣとレンズ保持部３１ａの一部が切欠部１９ｃに進入することで、直進案内環１９と挿脱枠３１の干渉を防いでスペース効率に優れた退避状態が実現される。
【００４０】
図１０に示すように、挿脱枠３１が退避位置にあるとき、駆動環３２は一対の遮光羽根３４を開き位置に保持させる回転位置にある。この状態で、駆動環３２の一対の制御突起３２ｂはそれぞれ、挿入されている長穴３４ｂのうち、軸穴３４ａから遠い一端部付近に位置している。
【００４１】
ズームレンズ鏡筒１０が収納状態から繰り出されるとき、２群支持環２０（２群レンズブロック１７）が直進案内環１９に対して光軸方向前方へ移動され、制御溝３８に対する挿脱枠３１の被押圧突起３１ｆの位置が図８の「Ａ」位置から「Ｂ」位置に変化する。すると被押圧突起３１ｆが直線状溝部３８ａから逃げ溝部３８ｂに移動して被押圧突起３１ｆへの押圧が解除され、挿脱枠３１が保持バネ３７の付勢力によって挿入位置へ回転する（図３、図７、図１１）。これによりワイドコンバータレンズＷＣが撮影光軸Ｏ上に挿入され、ズームレンズ系のワイド端よりも焦点距離が短いスーパーワイド状態になる。
【００４２】
挿脱枠３１が退避位置から挿入位置へ回転すると、回転伝達突起３１ｅと回転伝達穴３２ｃの係合関係によって駆動環３２に回転力が伝達され、駆動環３２が図１０の位置から図１１の位置へ回転する。このとき、一対の制御突起３２ｂがそれぞれ逃げ穴３３ｂに沿って移動することにより、駆動環３２は押さえ環３３に妨げられずに回転することができる。駆動環３２が回転すると、係合関係にある制御突起３２ｂと長穴３４ｂを介して力が伝えられた一対の遮光羽根３４が、支持軸３０ｄを中心として開き位置（図１０）から遮光位置（図１１）に回転する。このとき、各長穴３４ｂ内での制御突起３２ｂの位置が、軸穴３４ａに対し離れた端部側から軸穴３４ａに近い端部側に変化する。遮光位置に達した一対の遮光羽根３４の開口形成凹部３４ｃは、ワイドコンバータレンズＷＣの光軸方向後方で該ワイドコンバータレンズＷＣの径に対応した円形開口を形成する。図３や図７から分かるように、ワイドコンバータレンズＷＣを通った被写体光は、この一対の遮光羽根３４による円形開口を通って第２レンズ群ＬＧ２側へ進み、ワイドコンバータレンズＷＣの外側を通る漏光は一対の遮光羽根３４によって遮られる。図１１に示すように、遮光位置にある一対の遮光羽根３４は、ワイドコンバータレンズＷＣの外側を全周に亘って囲む円環状の遮光領域を形成するため、ワイドコンバータレンズＷＣを通らずに第２レンズ群ＬＧ２側へ進もうとする有害な光を確実に遮断できる。
【００４３】
スーパーワイド状態からズームレンズ鏡筒１０が繰り出されると、２群支持環２０（２群レンズブロック１７）が直進案内環１９に対して光軸方向前方に繰り出され、制御溝３８に対する挿脱枠３１の被押圧突起３１ｆの位置が図８の「Ｂ」位置から「Ｃ」位置に変化する。すると、被押圧突起３１ｆが逃げ溝部３８ｂから直線状溝部３８ａに移動し、直線状溝部３８ａの側面に当接した被押圧突起３１ｆが押圧されて挿脱枠３１が挿入位置から退避位置へ回転する。挿脱枠３１の退避位置ではワイドコンバータレンズＷＣが撮影光路の外側に位置しており、ワイドコンバータレンズＷＣは撮影に関与しなくなる。
【００４４】
挿脱枠３１が挿入位置から退避位置へ回転すると、回転伝達突起３１ｅと回転伝達穴３２ｃの係合関係によって駆動環３２に回転力が伝達され、駆動環３２が図１１の位置から図１０の位置へ回転する。一対の制御突起３２ｂがそれぞれ逃げ穴３３ｂに沿って移動することにより、駆動環３２は押さえ環３３に妨げられずに回転する。駆動環３２が回転すると一対の制御突起３２ｂと長穴３４ｂを介して力が伝えられた一対の遮光羽根３４が、支持軸３０ｄを中心として遮光位置（図１１）から開き位置（図１０）に回転する。このとき、各長穴３４ｂ内での制御突起３２ｂの位置が、軸穴３４ａに近い端部側から軸穴３４ａに対し離れた端部側に変化する。開き位置に回転した一対の遮光羽根３４は、図２や図１０から分かるように、開口形成凹部３４ｃを含む全体が支持環３０の中央開口３０ａの外側に退避しており、第１レンズ群ＬＧ１を通り第２レンズ群ＬＧ２に進む被写体光を妨げることがない。そして、一対の遮光羽根３４が撮影光軸Ｏを中心として対称に開かれる構成であるため、各遮光羽根３４を退避させるためのスペースが小さくて済む。具体的には、図１０に示すように、各遮光羽根３４の開き位置は、撮影光軸Ｏを中心とする径方向において挿脱枠３１の退避位置と同等のスペースに収まっており、遮光羽根３４を設けることによるコンバータレンズユニット２２の大径化が防がれている。
【００４５】
図８に示す「Ｃ」位置はズームレンズ鏡筒１０のワイド端（図２の上半断面、図５）、「Ｄ」位置はズームレンズ鏡筒１０のテレ端（図２の下半断面、図６）における駆動突起３２ｃの位置である。図８から分かるように、ワイド端からテレ端までのズーム域では、被押圧突起３１ｆが制御溝３８の直線状溝部３８ａ内に位置しており、挿脱枠３１は退避位置に保持され続ける。収納状態と同様に、テレ端では第１レンズ群ＬＧ１と第２レンズ群ＬＧ２の間隔が小さくなって光軸方向のスペースが狭くなるが、挿脱枠３１が退避位置にあることため、第１レンズ群ＬＧ１とワイドコンバータレンズＷＣが干渉することがない。また、ズーム域では、挿脱枠３１が退避位置に保持され続けることに応じて、一対の遮光羽根３４が開き位置に保持される。前述のように、開き位置にある遮光羽根３４は、第１レンズ群ＬＧ１から第２レンズ群ＬＧ２に進む被写体光を妨げない位置に退避しているので、撮影に影響を及ぼすことがない。
【００４６】
以上のように、本実施形態のズームレンズ鏡筒１０に備えられたコンバータレンズユニット２２では、ワイドコンバータレンズＷＣを保持する挿脱枠３１の挿脱動作に連動して開閉動作を行う一対の遮光羽根３４を設け、ワイドコンバータレンズＷＣの挿入状態では、一対の遮光羽根３４によってワイドコンバータレンズＷＣの周囲の漏光を確実に遮断し、ワイドコンバータレンズＷＣの退避状態では、一対の遮光羽根３４が撮影光路外にスペース効率良く収納される。これにより、ワイドコンバータレンズＷＣの使用時における光学性能に優れ、かつズームレンズ鏡筒１０の大径化を抑制したコンバータレンズの駆動機構が得られる。
【００４７】
以上、図示実施形態に基づき説明したが、本発明はこれに限定されるものではない。例えば、実施形態のズームレンズ鏡筒１０では、撮影光軸Ｏ上に挿脱される光学要素をワイドコンバータレンズＷＣとしたが、テレ端よりも焦点距離を長くさせるテレコンバーターレンズの駆動機構に本発明を用いることも可能である。ズームレンズ鏡筒１０のズームレンズ系は、収納状態から繰り出し動作を行うとワイド端になり、さらに繰り出し動作を行うとテレ端になるが、収納状態からの繰り出し動作で最初にテレ端になるタイプのズームレンズ系の場合は、図示実施形態と同様の駆動機構によってテレコンバーターレンズの駆動を実現できる。
【００４８】
また、実施形態のズームレンズ鏡筒１０では、収納状態からズーム域になる途中で挿脱枠３１が挿入位置に移動されるが、ズーム域よりも繰り出した位置でコンバータレンズが光軸上に挿入されるタイプのレンズ鏡筒に本発明を適用することも可能である。
【００４９】
また、実施形態のズームレンズ鏡筒１０では、光軸方向に直進移動する直進案内環１９の移動力によって挿脱枠３１を回転駆動させているが、光軸方向への直進移動部材ではなく、外側繰出筒１６のような回転部材によってコンバータレンズの駆動機構に駆動力を付与する構成を採用することもできる。
【００５０】
本発明は、実施形態のズームレンズ鏡筒１０のような３群構成以外のズームレンズ系にも適用が可能である。また、コンバータレンズの挿入位置は、第１レンズ群ＬＧ１と第２レンズ群ＬＧ２の間以外にも設定が可能である。
【符号の説明】
【００５１】
１０  ズームレンズ鏡筒
１１  光学フィルタ
１２  撮像素子
１３  ハウジング
１４  撮像素子ホルダ
１５  ３群枠
１６  外側繰出筒
１７  ２群レンズブロック
１８  内側繰出筒
１９  直進案内環（相対移動部材）
２０  ２群支持環
２１  シャッタユニット
２２  コンバータレンズユニット
３０  支持環（支持部材）
３０ａ  中央開口
３０ｂ  ３０ｃ  環状フランジ
３０ｄ  支持軸（第２の軸）
３０ｅ  軸挿入穴
３１  挿脱枠
３１ａ  レンズ保持部
３１ｂ  ３１ｃ  アーム
３１ｄ  軸支部
３１ｅ  回転伝達突起
３１ｆ  被押圧突起
３１ｘ  回転軸（第１の軸）
３２  駆動環
３２ａ  切欠き
３２ｂ  制御突起
３２ｃ  回転伝達穴
３３  押さえ環
３３ａ  中央開口
３３ｂ  逃げ穴
３３ｃ  ストッパ突起
３３ｄ  切欠き
３３ｅ  バネ掛け穴
３３ｆ  ネジ座
３４  一対の遮光羽根
３４ａ  軸穴
３４ｂ  長穴
３４ｃ  開口形成凹部
３５  軸押さえ
３５ａ  軸挿入穴
３６  固定ネジ
３７  挿入バネ（付勢部材）
３７ａ  ３７ｂ  バネ腕部
３８  制御溝（駆動制御部）
３８ａ  直線状溝部
３８ｂ  逃げ溝部
ＣＦ１  １群用カムフォロア
ＣＧ１  １群制御カム溝
ＣＦ２  ２群用カムフォロア
ＣＧ２  ２群制御カム溝
ＬＧ１  第１レンズ群
ＬＧ２  第２レンズ群
ＬＧ３  第３レンズ群
Ｏ  撮影光軸
Ｓ  シャッタ
ＷＣ  ワイドコンバータレンズ
【図１】
2014149417.tif 000003
【図２】
2014149417.tif 000004
【図３】
2014149417.tif 000005
【図４】
2014149417.tif 000006
【図５】
2014149417.tif 000007
【図６】
2014149417.tif 000008
【図７】
2014149417.tif 000009
【図８】
2014149417.tif 000010
【図９】
2014149417.tif 000011
【図１０】
2014149417.tif 000012
【図１１】
2014149417.tif 000013